(57)【要約】【課題】  ミシン縫い工程と回数を減らすことにより、人の手に対する需要を減らし、生産力を向上させるモールド成形シームレスブラジャーを提供する。【解決手段】  第１層構造体１は、ブラジャーメインボディの形状にあわせられ、一つの外層弾性布１１が裁断され、且つ外層弾性布１１の中段部に於いて、一つのパッド層１３が一つの網状ゴム薄層１２を挟み、モールド方式により成形され平面体を形作る。第２層構造体２は、二つの内部にワイヤーを備えたワイヤー帯２１が一つの不伸縮布２２内の縁面に固定され、その不伸縮布２２上方にはワイヤー帯２１のカーブが伸び、予め裁断され二つの凹弧状を成し、不伸縮布２２は一つの網状ゴム薄層２３で前記第１層構造体１の内縁面にモールドされる。第３層構造体３は、一つの当て布弾性布３１であり、網状ゴム薄層３２を挟み第１、２層構造体１、２の内縁面にモールドされる。【選択図】  図６
0003104814.tif 000002
【実用新案登録請求の範囲】
【請求項１】
第１層構造体は、ブラジャーメインボディの形状にあわせられ、一つの外層弾性布が裁断され、且つ外層弾性布の中段部に於いて、一つのパッド層が一つの網状ゴム薄層を挟み、モールド方式により成形され平面体を形作り、
第２層構造体は、二つの内部にワイヤーを備えたワイヤー帯が一つの不伸縮布内の縁面に固定され、その不伸縮布上方にはワイヤー帯のカーブが伸び、予め裁断され二つの凹弧状を成し、不伸縮布は一つの網状ゴム薄層で前記第１層構造体の内縁面にモールドされ、
第３層構造体は、一つの当て布弾性布であり、網状ゴム薄層を挟み第１、２層構造体の内縁面にモールドされることを特徴とするモールド成形シームレスブラジャー。
【請求項２】
パッド層内縁面は一つの円弧形の補助パッド層を増設可能であることを特徴とする請求項１に記載のモールド成形シームレスブラジャー。
【請求項３】
モールド一体成形されたブラジャーメインボディは、一つのフロントボディ、二つのカップ、及びフロントボディ両側から後ろに向かって伸びたバックストラップを有することを特徴とする請求項１に記載のモールド成形シームレスブラジャー。
【請求項４】
バックストラップ端部にはホックが備えられていることを特徴とする請求項３に記載のモールド成形シームレスブラジャー。
【請求項５】
前記カップとバックストラップの間には肩ストラップが備えられていることを特徴とする請求項３に記載のモールド成形シームレスブラジャー。
【考案の詳細な説明】
【技術分野】
【０００１】
本考案は、一種のモールド成形シームレスブラジャーに関するものであり、特にミシン縫いの必要がなく、弾性布及び不伸縮布が多層の網状ゴム薄層と複合されたものであり、モールドにより一体成形されたブラジャーに関する。
【背景技術】
【０００２】
図１に示す如く、従来のブラジャー６の構造は、フロントボディ６１、バックストラップ６２、カップ６３、及びミシン縫い目がカップ６３底縁にあるワイヤー帯６４を少なくとも含む。そのうち、カップ６３はまた外層布６３１、中間に挟まれたパッド６３２及び当て布６３３により構成される。上述の各部品はみな、人の手により逐一ミシンで以って縫製される。従って、従来のブラジャーは高度に労力が密集された産品ということができ、その製作過程（ミシン縫い工程および回数）は多く、且つ皆人の力に頼りミシン縫いを行うため、それが欠点の一つである。
【０００３】
また、多すぎるミシン縫い工程及び回数により、完成後のブラジャーには多くのミシン縫い目６５及び縫い合わせがあり、縫い合わせが多いと着用した際着心地が悪く、且つ縫い目によっては重なってミシン縫いされるため、外観上比較的でこぼこになりやすく、女性の方々が比較的体にぴったりした上着を着た際、美観に影響することがある。
【０００４】
市場で売られているブラジャーの中には、「シームレスブラジャー」を掲げた産品もあるが、それは本当に縫い目のないものではなく、ただ縫い目を内部或いは内縁面に隠しただけのものであり、カップ６３表面或いはフロントボディ６１においてミシン縫い目６５を見えなくしているだけのものである。
【０００５】
ミシン縫い工程は煩瑣なだけでなく、且つ人の手により逐一ミシン縫いされる必要があり、その上、ミシン縫い目６５或いは縫い合わせが内縁面にある場合、皮膚に触れ、着用した際着心地が悪いものである。
【考案の開示】
【考案が解決しようとする課題】
【０００６】
本考案の一つの目的は、一種のモールド成形シームレスブラジャーを提供することであり、そのブラジャーメインボディ全体の成形には、逐一人の手によるミシン縫いを必要とせず、ミシン縫い工程と回数を減らすことにより、人の手に対する需要を減らし、生産力を向上させる。
【０００７】
本考案のもう一つの目的は、一種のモールド成形シームレスブラジャーを提供することであり、その成形されたブラジャーメインボディには外観或いは内縁面に関わらず、一つのミシン縫い目或いは縫い合わせもなく、着用した際着心地が良く、且つ全体的に美観の整ったものである。
【課題を解決するための手段】
【０００８】
上述の目的を達成するための本考案のモールド成形シームレスブラジャーでは、第１層構造体は、ブラジャーメインボディの形状にあわせられ、一つの外層弾性布が裁断され、且つ外層弾性布の中段部に於いて、一つのパッド層が一つの網状ゴム薄層を挟み、モールド方式により成形され平面体を形作る。第２層構造体は、二つの内部にワイヤーを備えたワイヤー帯が一つの不伸縮布内の縁面に固定され、その不伸縮布上方にはワイヤー帯のカーブが伸び、予め裁断され二つの凹弧状を成し、不伸縮布は一つの網状ゴム薄層で前記第１層構造体の内縁面にモールドされる。第３層構造体は、一つの当て布弾性布であり、網状ゴム薄層を挟み第１、２層構造体の内縁面にモールドされる。
【考案を実施するための最良の形態】
【０００９】
まず、図２〜図１０に示すのは、本考案の一実施例によるモールド成形シームレスブラジャーであり、以下のものを含んでいる。
第１層構造体１モールド成形：ブラジャーメインボディを展開した形状をしており、一つの外層弾性布１１を裁断し、且つ外層弾性布１１の中段部には、一つのパッド層１３が一つの網状ゴム薄層（Adhensive Fabric）１２により、モールド方式で平面体を成形し、図２、図３の示すような形態となる。且つ見た目の要求から、パッド層１３の内縁面に一つの円弧形の補助パッド層１３’を増設することもできる。
【００１０】
第２層構造体２モールド成形：内部にワイヤーリング２１１を有した二つのワイヤー帯２１が一つの不伸縮布２２内縁面に固定され、その不伸縮布２２上方にはワイヤー帯２１のカーブが伸びていて、予め裁断され二つの凹弧状２２１を形成し、その不伸縮布２２は一つの網状ゴム薄層２３で以って、前述の第１層構造体１の内縁面にモールドされ、図４、図５に示す如くとなる。
【００１１】
第３層構造体３モールド成形：一つの外層弾性布１１と同じ形状の当て布弾性布３１が、網状ゴム薄層３２で以って前述の第１、２層構造体１、２の内縁面にモールドされ、図６、図７に示す如くとなる。
前述の第１、２、３層構造体３モールド成形の平面体４には、図８に示す如く一つのカップ型組４１、４２により、ワイヤー帯２１上方の位置に於いてモールド方式によりカップを成形し、その成形後の初歩ブラジャーメインボディは図９に示すようになる。
【００１２】
初歩成形されたブラジャーメインボディの余り部分５６、５７、５８が裁断されることにより、図１０に示す様な状態になる。
図１１に示すように、完成後のブラジャーメインボディ５は一体成形されたフロントボディ５１、カップ５２、バックストラップ５３を有し、さらにバックストラップ５３端部にはホック５４が備えられていて、バックストラップ５３とカップ５２の間には一つの肩ストラップ５５が設けられている。ただ肩ストラップ５５は必ずしも必要というわけではなく、肩ストラップのない設計を採用したブラジャーもある。
【００１３】
前述のモールドの間に介される３枚の網状ゴム薄層（Adhensive Fabreic）１２、２３、３２は、細かな繊維が網状になって構成されたもので、且つ繊維中には粘着ゴム成分が含まれる構造物であり、常温時には粘着性はないが、モールド過程において、一つのゴム膜層を形成し、モールドされた後粘着し固定することができる。且つその中の網状繊維はブラジャーメインボディ５に一つの弾性張力を提供し、モールド過程において、皺や変形を生み出しにくくする。
【００１４】
このほか、第２層構造体２は必ず不伸縮布２２を素材とすることが必要であり、それはワイヤー帯２１と共にブラジャーの形を定める作用があり、ゆえに弾性布を使用することはできず、さもなくばモールド成形の際、カップ５２の位置が変わりやすくなる。
第１層構造体１及び第３層構造体３の外層弾性布１１及び当て布弾性布３１に至っては弾性のある布を素材としなければならず、型組４１、４２内において初めて、パッド層１３と一緒にモールド合成されカップ５２を形成する。
【００１５】
図１２に示すのは完成後の断面図であり、その外観上からは外層弾性布１１及び当て布弾性布３１のみ見ることができ、そのほかのパッド層１３及びワイヤー帯２１などの部品は皆外層弾性布１１及び当て布弾性布３１によって内外が包み覆われており、ゆえに全体的にスムーズであり、いかなる縫い合わせもない。且つ図９に示す如く初歩の成形ブラジャーメインボディから周縁の余り部分を裁断後、図１０に示すようになったとき、高周波方式により裁断することができ、これにより各裁断辺５９の内外の弾性布の２層の布辺は接合され、糸くずがなくすっきりとした美観を呈する。
【００１６】
図１３に示したのは、パッド層１３の内縁面下半部に設けられた第２のパッド層１３’であり、これによりカップ底縁の厚みが増加し、外観上比較的豊かにさせる。
図１４は図１３の中の部分構造の拡大図であり、本実施例のモールド成形ブラジャーのメインボディ５の構造をわかりやすく示しており、外から中に向かって順に、外層弾性布１１、網状ゴム薄層１２、パッド層１３、補助パッド層１３’、網状ゴム薄層２３、不伸縮布２２、ワイヤー帯２１、網状ゴム薄層３２、当て布弾性布３１により構成されている。
【００１７】
本考案の技術手段によると、一体モールド成形によるブラジャーにより、ミシン縫い工程及び回数を減少させ、且つ成形後のブラジャーメインボディはいかなる縫い合わせも無く、着用した際着心地がよく美観にも効果が増す。
【図面の簡単な説明】
【００１８】
【図１】従来のブラジャーの構造を示す模式図である。
【図２】本考案の一実施例によるモールド成形シームレスブラジャーの第１層構造体を示す分解立体図である。
【図３】本考案の一実施例によるモールド成形シームレスブラジャーの第１層構造体の変形例を示す模式図である。
【図４】本考案の一実施例によるモールド成形シームレスブラジャーの第２層構造体を示す分解立体図である。
【図５】本考案の一実施例によるモールド成形シームレスブラジャーの第１、２層構造体がモールド成形された状態を示す立体図である。
【図６】本考案の一実施例によるモールド成形シームレスブラジャーの第３構造体を示す分解立体図である。
【図７】本考案の一実施例によるモールド成形シームレスブラジャーの３層の構造体がモールド成形された状態を示す立体図である。
【図８】本考案の一実施例によるモールド成形シームレスブラジャーの３層の構造体に型によりカップを成形する状態を示す模式図である。
【図９】本考案の一実施例によるモールド成形シームレスブラジャーのカップ成形後の状態を示す正面図である。
【図１０】本考案の一実施例によるモールド成形シームレスブラジャーのブラジャーメインボディの裁断完成後の状態を示す正面図である。
【図１１】本考案の一実施例によるモールド成形シームレスブラジャーのブラジャーメインボディに部品を取り付けた状態を示すの立体図である。
【図１２】本考案の一実施例によるモールド成形シームレスブラジャーを示す断面図である。
【図１３】本考案の一実施例によるモールド成形シームレスブラジャーの変形例を示す断面図である。
【図１４】図１３中の一部分の拡大図である。
【符号の説明】
【００１９】
１  第１層構造体、２  第２層構造体、３  第３層構造体、４  平面体、５  ブラジャーメインボディ、１１  外層弾性布、１２  網状ゴム薄層、１３  パッド層、２１  ワイヤー帯、２２  不伸縮布、２３  網状ゴム薄層、３１  当て布弾性布、３２  網状ゴム薄層、４１  カップ型組、４２  カップ型組、５１  フロントボディ、５２  カップ、５３  バックストラップ、５４  ホック、５５  肩ストラップ、５６  余り部分、５７  余り部分、５８  余り部分、５９  裁断辺、２１１  ワイヤーリング
【図１】
0003104814.tif 000003
【図２】
0003104814.tif 000004
【図３】
0003104814.tif 000005
【図４】
0003104814.tif 000006
【図５】
0003104814.tif 000007
【図６】
0003104814.tif 000008
【図７】
0003104814.tif 000009
【図８】
0003104814.tif 000010
【図９】
0003104814.tif 000011
【図１０】
0003104814.tif 000012
【図１１】
0003104814.tif 000013
【図１２】
0003104814.tif 000014
【図１３】
0003104814.tif 000015
【図１４】
0003104814.tif 000016